(57)【要約】    【課題】  輸液ポンプやシリンジポンプ等の機器の輸液用スタンドからの取り外しや取り付けを、従来よりも簡便に行うことの可能な、点滴スタンド用取付補助具等を提供すること。    【解決手段】  点滴スタンド用取付補助具１５は、点滴スタンド５０に機器１０を取り付ける際に用いる取付補助具であり、機器１０側に設けられた部材固定端部１２に対して着脱自在に固定可能な機器側部材１と、点滴スタンド５０側に着脱自在に固定可能なスタンド側部材５とからなり、機器側部材１には機器側係合部３が備えられ、スタンド側部材５には、これを点滴スタンド５０に着脱自在に固定するためのスタンド固定部６と、およびスタンド側係合部８とが備えられ、機器側係合部３とスタンド側係合部８とが相互に係合する形状に形成されている構成とする。【選択図】  図１
2012179283.tif 000002
【特許請求の範囲】
【請求項１】
点滴スタンドに機器を取り付ける際に用いる取付補助具であって、
該機器側に着脱自在に固定可能な機器側部材と、該点滴スタンド側に着脱自在に固定可能なスタンド側部材とからなり、
該機器側部材には機器側係合部が備えられ、
該スタンド側部材には、これを該点滴スタンドに着脱自在に固定するためのスタンド固定部と、
スタンド側係合部とが備えられ、
該機器側係合部と該スタンド側係合部とは相互に係合する形状に形成されている、
点滴スタンド用取付補助具。
【請求項２】
前記機器側係合部およびスタンド側係合部は、一方が凸形状を備え、他方がこれと係合する凹形状を備えていることを特徴とする、請求項１に記載の点滴スタンド用取付補助具。
【請求項３】
前記機器側係合部およびスタンド側係合部を用いた係合によって、１回の平行移動のみにより両者を着脱可能であることを特徴とする、請求項２に記載の点滴スタンド用取付補助具。
【請求項４】
請求項１ないし３のいずれかに記載の点滴スタンド用取付補助具と、点滴スタンドとからなる、点滴スタンドセット。
【請求項５】
前記スタンド側部材には部材側係合構造が設けられ、前記点滴スタンドにはスタンド側係合構造が設けられ、該部材側係合構造および該スタンド側係合構造とは相互に係合する形状に形成されていることを特徴とする、請求項４に記載の点滴スタンドセット。
【請求項６】
前記部材側係合構造およびスタンド側係合構造は、一方が凸形状を備え、他方がこれと係合する凹形状を備えていることを特徴とする、請求項５に記載の点滴スタンドセット。
【請求項７】
請求項５または６に記載の点滴スタンドセットを構成可能な、点滴スタンド。
【発明の詳細な説明】
【技術分野】
【０００１】
本発明は点滴スタンド用取付補助具、点滴スタンドセットおよび点滴スタンドに係り、特に医療現場等において、点滴スタンドへの輸液ポンプ等機器の取り付けや取り外しを簡便化することのできる、点滴スタンド用取付補助具、点滴スタンドセットおよび点滴スタンドに関するものである。
【背景技術】
【０００２】
従来、医療現場等で点滴スタンド（以下、「輸液用スタンド」ともいう。）を使用する場合、輸液ポンプやシリンジポンプ等の機器の取り付けは、ポンプ等の機器に付いている取付用部材のノブねじを調整して行うことが一般的である。
【０００３】
図５は、従来の輸液用スタンドへの機器取り付け方法を示す要部説明図である。図示するように従来は、機器９１０に付いている取付用部材９１５のノブねじ９１６を輸液用スタンド９５０の支柱に対して締め付けることで機器９１０を取り付け、緩めることで機器９１０を取り外していた。また、一台の輸液用スタンドに複数の機器を取り付ける場合、機器ごとにこれらの取り付けや取り外しの作業が必要であり、つまり、ノブねじの締め付け・緩めの作業が一台ごとにその都度必要だった。
【０００４】
さて、輸液用スタンドについては従来、さまざまな技術的提案がなされている。たとえば後掲特許文献１は、輸液ポンプを輸液用スタンドに着脱する際の取り付け作業を簡単にでき、複数の輸液ポンプを容易に固定することができる輸液用スタンドとして、所定の金具と、これに嵌合するスタンド載置台上の孔部、およびこれらを係合させるレバーを備えた構成を開示している。また特許文献２は、移動が容易で場所をとらず、コンパクトに収納できる輸液用スタンドとして、輸液剤、輸液ポンプおよび輸液セットを収納可能な輸液スタンド本体を備えた構成を開示している。
【先行技術文献】
【特許文献】
【０００５】
【特許文献１】特開平１１−１３７６８０号公報「輸液ポンプ及び輸液ポンプ用スタンド」
【特許文献２】特開２００１−１１２８４９号公報「輸液スタンド」
【発明の概要】
【発明が解決しようとする課題】
【０００６】
しかしながら、これら特許文献に開示されている技術も含め、従来の輸液用スタンドには結局、次のような問題があった。すなわち、輸液ポンプ等機器に付いているノブねじを、使用の際は輸液用スタンドの支柱に対して締め付けて取り付けたり、また不要となった場合や他の機器と交換が必要な場合にはノブねじを緩めて取り外すという作業を、その都度一々行わなくてはならなかった。
【０００７】
また、一台の輸液用スタンドに複数の機器を取り付ける場合、機器ごとにこれらの取り付けや取り外しの作業が必要であり、ノブねじの締め付け・緩めの作業が一台ごとにその都度必要だった。したがって、これらのことから、たとえば一患者に多数の輸液ポンプ等機器を使用する場合などには、機器の取り付け・取り外しの業務が多くなり、このことが医療等現場における大きな負担となっていた。
【０００８】
そこで本発明が解決しようとする課題は、かかる従来技術の問題点を踏まえ、輸液ポンプやシリンジポンプ等の機器の輸液用スタンドからの取り外しや取り付けを、従来よりも簡便に行うことの可能な、点滴スタンド用取付補助具等を提供することである。
【課題を解決するための手段】
【０００９】
本願発明者は上記課題について検討した結果、輸液ポンプ等機器側と点滴スタンド側それぞれに、相互に係合する形状のホルダーを設けることに基づいて課題解決が可能であることに想到し、本発明に至った。すなわち、上記課題を解決するための手段として本願で特許請求される発明、もしくは少なくとも開示される発明は、以下の通りである。
【００１０】
（１）  点滴スタンドに機器を取り付ける際に用いる取付補助具であって、
該機器側に着脱自在に固定可能な機器側部材と、該点滴スタンド側に着脱自在に固定可能なスタンド側部材とからなり、
該機器側部材には機器側係合部が備えられ、
該スタンド側部材には、これを該点滴スタンドに着脱自在に固定するためのスタンド固定部と、
スタンド側係合部とが備えられ、
該機器側係合部と該スタンド側係合部とは相互に係合する形状に形成されている、
点滴スタンド用取付補助具。
（２）  前記機器側係合部およびスタンド側係合部は、一方が凸形状を備え、他方がこれと係合する凹形状を備えていることを特徴とする、（１）に記載の点滴スタンド用取付補助具。
（３）  前記機器側係合部およびスタンド側係合部を用いた係合によって、１回の平行移動のみにより両者を着脱可能であることを特徴とする、（２）に記載の点滴スタンド用取付補助具。
（４）  （１）ないし（３）のいずれかに記載の点滴スタンド用取付補助具と、点滴スタンドとからなる、点滴スタンドセット。
【００１１】
（５）  前記スタンド側部材には部材側係合構造が設けられ、前記点滴スタンドにはスタンド側係合構造が設けられ、該部材側係合構造および該スタンド側係合構造とは相互に係合する形状に形成されていることを特徴とする、（４）に記載の点滴スタンドセット。
（６）  前記部材側係合構造およびスタンド側係合構造は、一方が凸形状を備え、他方がこれと係合する凹形状を備えていることを特徴とする、（５）に記載の点滴スタンドセット。
（７）  （５）または（６）に記載の点滴スタンドセットを構成可能な、点滴スタンド。
【００１２】
つまり、本発明点滴スタンド用取付補助具の典型例は、機器側に取り付けるメスホルダーと、点滴スタンド側に取り付けるオスホルダーとから構成されるもので、メスホルダーはオスホルダーの受けとなるような形状を備えたもので、これはノブねじで機器に固定される。一方、オスホルダーは点滴スタンド側に取り付ける。そしてオスホルダー上に、機器を連結した格好のメスホルダーが脱着されることにより、機器の点滴スタンドへの脱着が簡便に行える、というものである。
【発明の効果】
【００１３】
本発明の点滴スタンド用取付補助具、点滴スタンドセットおよび点滴スタンドは上述のように構成されるため、これによれば、医療現場等において、点滴スタンドへの輸液ポンプ等機器の取り付けや取り外しを簡便化することができる。つまり本発明によれば、従来のように、輸液ポンプ等機器に付いているノブねじを、使用の際は輸液用スタンドの支柱に対して締め付けて取り付けたり、また不要となった場合や他の機器と交換が必要な場合にはノブねじを緩めて取り外すという作業をその都度一々行う必要がなく、係止という単純な操作により、短時間で手間なく、取り付けや取り外しが可能となる。
【００１４】
また本発明によれば、従来のように、一台の輸液用スタンドに複数の機器を取り付ける場合にも、機器ごとのノブねじの締め付け・緩めの作業を一台ごとにその都度行う必要もない。したがって、これらのことから、たとえば一患者に多数の輸液ポンプ等機器を使用する場合などにも、機器の取り付け・取り外しの業務が軽減され、医療等現場における負担を大いに少なくすることができる。
【図面の簡単な説明】
【００１５】
【図１】本発明の点滴スタンド用取付補助具の基本構成を示す説明図である。
【図２Ａ】本発明の点滴スタンド用取付補助具の構成例を示す説明図（斜視分解図）である。
【図２Ｂ】本発明の点滴スタンド用取付補助具の構成例を示す説明図（要部側面図）である。
【図２Ｃ】本発明の点滴スタンド用取付補助具の構成例を示す説明図（係合状態を示す一部透視図）である。
【図３】本発明の点滴スタンドセットの構成例を示す要部説明図である。
【図４】本発明の点滴スタンドセットの別の構成例を示す説明図である。
【図５】従来の、輸液用スタンドへの機器取り付け方法を示す要部説明図である。
【発明を実施するための形態】
【００１６】
以下、図面により本発明を詳細に説明する。
図１は、本発明の点滴スタンド用取付補助具の基本構成を示す説明図である。図示するように本点滴スタンド用取付補助具１５は、点滴スタンド５０に機器１０を取り付ける際に用いる取付補助具であり、機器１０側に設けられた部材固定端部１２に対して着脱自在に固定可能な機器側部材１と、点滴スタンド５０側に着脱自在に固定可能なスタンド側部材５とからなり、機器側部材１には機器側係合部３が備えられ、スタンド側部材５には、これを点滴スタンド５０に着脱自在に固定するためのスタンド固定部６と、およびスタンド側係合部８とが備えられ、機器側係合部３とスタンド側係合部８とが相互に係合する形状に形成されていることを、主たる構成とする。
【００１７】
かかる構成により、本点滴スタンド用取付補助具１５を用いる場合、まず機器１０の部材固定端部１２には機器側部材１が着脱自在に固定され、点滴スタンド５０にはスタンド側部材５が着脱自在に固定される。スタンド側部材５は、これに備えられたスタンド固定部６によって点滴スタンド５０に着脱自在に固定される。そして、機器側部材１の機器側係合部３とスタンド側部材５のスタンド側係合部８とが相互に係合されることによって、点滴スタンド５０に対する機器１０の取り付けが完了する。
【００１８】
機器１０には機器側部材１が、また点滴スタンド５０にはスタンド側部材５が、それぞれ常時固定された状態にしておくことは、使用・保管・運搬上も特段支障がない。したがって、これら部材１、５を常時固定しておけば、点滴スタンド５０に対する機器１０の取り付けや取り外しは、単に機器側部材１の機器側係合部３とスタンド側部材５のスタンド側係合部８とを相互に係合するだけで行えるため、従来に比べて非常に便利である。
【００１９】
図２Ａ〜２Ｃは、本発明の点滴スタンド用取付補助具の構成例を示す説明図であり、このうち図２Ａは斜視分解図、図２Ｂは要部側面図、そして図２Ｃは係合状態を示す一部透視図である。これらに図示するように本点滴スタンド用取付補助具２１５は、機器側係合部２３およびスタンド側係合部２８のうち一方が凸形状を備え、他方がこれと係合する凹形状を備えた構成とすることができる。かかる形態は、機器側係合部２３およびスタンド側係合部２８を相互に係合する形態として、最も簡素であり、使用にも便利だからである。もちろん、より複雑な形態など別の形態としてもよいが、実施上かかる構成で十分な効果を得ることができる。
【００２０】
なお、機器２１０に備えられる部材固定端部２１２において、機器側部材２１を固定するための手段としては、ノブねじ２１６を好適に用いることができるが、これは一例であり、要するに脱着自在かつ簡便に固定できる固定具であればよい。スタンド側部材２５のスタンド固定部２６におけるノブネジ２７についても、同様である。
【００２１】
図２Ａ等に示した構成例によれば、機器側係合部２３およびスタンド側係合部２８を用いた係合は、単純にこれらを接近させて係合させる動作のみにより実現できるため、動作としては１回の平行移動のみにより両者を着脱することができ、非常に便利である。
【００２２】
以上、各図により説明した本発明の点滴スタンド用取付補助具１５等は、これを単独で提供し、既存の機器１０等や点滴スタンド５０等を利用して、使用することができる。しかし、点滴スタンド用取付補助具１５等と、点滴スタンド５０とからなる点滴スタンドセットとして、提供してもよい。
【００２３】
図３は、本発明の点滴スタンドセットの構成例を示す要部説明図である。図示するように本例の点滴スタンドセットは、スタンド側部材３５には部材側係合構造３９が設けられ、点滴スタンド３５０にはスタンド側係合構造３５９が設けられた構成とし、部材側係合構造３９およびスタンド側係合構造３５９とが相互に係合する形状に形成された構成とすることができる。部材側係合構造３９およびスタンド側係合構造３５９の具体的な形状は、特に限定されず、係合可能な形状である限り、如何なる形状でも用いることができる。
【００２４】
スタンド側係合構造３５９は図示するように、スタンド側係合構造基体３６０上に複数設けるものとことができる。もちろん、一のみを設けることとしてもよいが、点滴スタンド３５０には複数の機器を取り付ける必要の生じる場合が少なくないため、二以上のスタンド側係合構造３５９を設けることとする方が、より便利である。なお、図示するように、スタンド側係合構造基体３６０は、基体固定部３６５によって点滴スタンド３５０に脱着可能に固定するようにすればよい。
【００２５】
かかる構成により本点滴スタンドセットにおいては、点滴スタンド３５０にスタンド側係合構造３５９を備えたスタンド側係合構造基体３６０が脱着可能に固定された状態がまず準備され、スタンド側部材３５に設けられた部材側係合構造３９と、スタンド側係合構造３５９とが相互に係合して、点滴スタンド３５０に対する機器の取り付けが、簡単になされる。
【００２６】
たとえば図の例のように、部材側係合構造３９およびスタンド側係合構造３５９は、一方が凸形状を備え、他方がこれと係合する凹形状を備えた構成とすれば、形状としても簡素であり、また使用上も十分な効果を得ることができる。
【００２７】
図４は、本発明の点滴スタンドセットの別の構成例を示す説明図である。図示するように部材側係合構造４９は爪状の形状とし、一方スタンド側係合構造４５９は部材側係合構造４９を差し込むことのできるポケット状の形状としてもよい。ポケット状のスタンド側係合構造４５９の設置数や位置が、図示するものに限定されないことはいうまでもない。
なお、以上説明した点滴スタンドセットを構成可能な点滴スタンドもまた、本発明の範囲内である。
【産業上の利用可能性】
【００２８】
本発明の点滴スタンド用取付補助具、点滴スタンドセットおよび点滴スタンドによれば、医療現場等において、点滴スタンドへの輸液ポンプ等機器の取り付けや取り外しを簡便化することができ機器の取り付け・取り外しの業務が軽減され、医療等現場における負担を大いに少なくすることができる。したがって、病院・診療所だけでなく在宅も含め、特に医療産業分野、介護福祉産業分野において産業上利用性が高い発明である。
【符号の説明】
【００２９】
１、２１…機器側部材
３、２３…機器側係合部
５、２５、３５、４５…スタンド側部材
６、２６…スタンド固定部
２７…ノブねじ（固定具）
８、２８、３８、４８…スタンド側係合部
１０、２１０…機器（輸液ポンプ等）
１２、２１２…部材固定端部
２１６…ノブねじ（固定具）
１５、２１５…点滴スタンド用取付補助具
５０、２５０、３５０、４５０…点滴スタンド
３９、４９…部材側係合構造
３５９、４５９…スタンド側係合構造
３６０、４６０…スタンド側係合構造基体
３６５…基体固定部
９１０…機器
９１５…取付用部材
９１６…ノブねじ
９５０…輸液用スタンド
【図１】
2012179283.tif 000003
【図２Ａ】
2012179283.tif 000004
【図２Ｂ】
2012179283.tif 000005
【図２Ｃ】
2012179283.tif 000006
【図３】
2012179283.tif 000007
【図４】
2012179283.tif 000008
【図５】
2012179283.tif 000009